(57)【要約】【課題】  載せた置物を自由に回転させて簡単に多方面から観賞でき且つその置物を装飾しより引き立てることができる装飾用回転スタンドを提供する。【解決手段】  置物を載せるターンテーブル本体と、該置物の上から置物を引き立てるための装飾物を吊る吊棹本体３とから成る。  該ターンテーブル本体は、中心軸５を介してフリーに回転する下の円形基盤１とその上の該基盤１より大径の円形台板２とで構成する。  前記吊棹本体３は、前記基盤１底面から台板下面２ｃまでの高さよりも径の細い一本の針金を用いて、前記ターンテーブル本体の台板２に接触せずに該基盤１を取り巻いた台部３ｃと、該台部３ｃから直立した直立部３eと、該直立部３eの上部を前記台板の中心上方に湾曲して先端に掛吊り部４を形成した湾曲部３ｆとで構成する。  そして、前記吊棹本体３の掛吊り部４には飾り笠７を吊設する。【選択図】    図１
0003112531.tif 000002
【実用新案登録請求の範囲】
【請求項１】
置物を載せるターンテーブル本体と、該置物の上から置物を引き立てるための装飾物を吊る吊棹本体とから成り、
該ターンテーブル本体は、中心軸を介してフリーに回転する下の円形基盤とその上の該基盤より大径の円形台板とで構成し、
前記吊棹本体は、前記基盤底面から台板下面までの高さよりも径の細い一本の針金を用いて、前記ターンテーブル本体の台板に接触せずに該基盤を取り巻いた台部と、該台部から直立した直立部と、該直立部の上部を前記台板の中心上方に湾曲して先端に掛吊り部を形成した湾曲部とで構成した
ことを特徴とする装飾用回転スタンド。
【請求項２】
吊棹本体を、針金の両端側に直立部と上下２段の湾曲部及び掛吊り部に形成したことを特徴とする請求項１に記載の装飾用回転スタンド。
【請求項３】
吊棹本体に吊る装飾物を照明灯としたことを特徴とする請求項１又は２に記載の装飾用回転スタンド。
【請求項４】
吊棹本体に吊る装飾物を飾り笠としたことを特徴とする請求項１乃至３のうちいずれかに記載の装飾用回転スタンド。
【考案の詳細な説明】
【技術分野】
【０００１】
本発明は、回転する台上に載せた置物を装飾し鑑賞するための回転式スタンドに関する。
【背景技術】
【０００２】
従来、置物を載せるための載置台がフリーに回転するように作られた小型のターンテーブルが提供されている。
他方、台座に植木鉢を載せて上方から植木を照らせるようにした照明付きのフラワースタンド（特許文献１）が提案されている。
【特許文献１】実開平４−６２１５９号公報
【考案の開示】
【考案が解決しようとする課題】
【０００３】
しかし、上記小型のターンテーブルは、単にその上に置物を置くだけで、その置物を引き立てようとする工夫がなく、台を回転させることによって置物の裏側も見られことはできても装飾性を高めるための趣向が乏しかった。
また、植木鉢を照らせるようにした照明付きのフラワースタンドでは、植木鉢の角度を変えようとするとき、鉢を持ち上げなければならず、土が付着している場合には手が汚れるなどの問題があった。
そこで本考案の装飾用回転スタンドは、置物を載せる台を自由に回転させて簡単に多方面から観賞でき、且つ載せた置物を装飾してその置物をより引き立たせるようにすることによって、上記従来のターンテーブルの趣向の乏しさと、照明付きフラワースタンドの鉢の位置変え際に起こる手の汚れなどの問題を同時に解消できるようにすることを目的とする。
【課題を解決するための手段】
【０００４】
上記課題を解決するために、本考案の請求項１に記載の装飾用回転スタンドは、  置物を載せるターンテーブル本体と、該置物の上から置物を引き立てるための装飾物を吊る吊棹本体とから成り、該ターンテーブル本体は、中心軸を介してフリーに回転する下の円形基盤とその上の該基盤より大径の円形台板とで構成し、前記吊棹本体は、前記基盤底面から台板下面までの高さよりも径の細い一本の針金を用いて、前記ターンテーブル本体の台板に接触せずに該基盤を取り巻いた台部と、該台部から直立した直立部と、該直立部の上部を前記台板の中心上方に湾曲して先端に掛吊り部を形成した湾曲部とで構成したことを特徴とする。
【０００５】
請求項２に記載の考案は、上記考案において、前記吊棹本体を、針金の両端側に直立部と上下２段の湾曲部及び掛吊り部に形成したことを特徴とする。
【０００６】
請求項３に記載の考案は、上記各考案において、前記吊棹本体に吊る装飾物を照明灯としたことを特徴とする。
【０００７】
請求項４に記載の考案は、上記各考案において、前記吊棹本体に吊る装飾物を飾り笠としたことを特徴とする。
【考案の効果】
【０００８】
本考案は、上記構成なので、ターンテーブル本体の台板上に載せた置物を載せたままで円滑に回転させて容易に好みの角度で置物を観賞することができ、さらに吊棹本体の掛吊り部に照明灯や飾り笠などを吊設することで台板上の置物を上から装飾して置物の姿を引き立たせることが可能となった。
【考案を実施するための最良の形態】
【０００９】
本考案の実施の形態について以下詳しく説明する。
本考案の装飾用回転スタンドは、置物を載せるターンテーブル本体と、該置物の上から置物を引き立てるための装飾物を吊る吊棹本体とで構成する。
該ターンテーブル本体は、図１に示すように、小径の基盤１上にそれより大径の台板２を中心軸５を介してフリー状態で円滑に回転できるようにする。
そのため、該ターンテーブル本体を、大径の台板２の中心部２ａに設けられた嵌合穴にそれより小径の基盤１上に設けられた中心軸５に上部を嵌合し、該基盤１と台板２との対応面にベアリングガイド溝９、１０を周設し、該両溝９、１０内にベアリング８を並べた構成にする。
この構成で、台板２は前記ベアリング８によって回転したときの摩擦抵抗が少なくなり、前記台板２の円滑なフリー回転が得られようになる。
ターンテーブル本体の台板２を円滑でフリーに回転させるには、この他にも軸部にベアリングを用いることでなどでも円滑な回転を得ることが可能である。
なお、基盤１と台板２の材質は木製、プラスチック製、金属製及びそれらを組み合わせたものが使用することができる。
【００１０】
次に前記吊棹本体３は、図２に示すように、前記基盤１底面から台板下面２ｃまでの高さＨよりも僅か小径Rの針金を用いて、前記台板２下に隠れて前記基盤１を取り巻くように折り曲げて形成した台部３ｃと、該台部３ｃから前記台板２の側方に突出して上方に直立した直立部３ｅと、該直立部の立ち上がり部３ｄの上部を前記台板２上面２ｂの上方中心に向け、その先端３ａをフック状の掛吊り部４を形成した屈曲部３ｆとで構成する。
そして、前記吊棹本体３の台部３ｃをターンテーブル本体の台板２の下に前記基盤１を取り巻いた状態で配着する。
該吊棹本体３は台部３ｃで自立し、且つ前記基盤１底面から台板下面２ｃまでの高さＨよりも僅か小径Rの針金を用いるので、前記台板２の下面２ｃ下の懐内に配された吊棹本体３の台部３ｃが、ターンテーブル本体の台板２に全く接触することがない。このためターンテーブル本体の台板２は前記吊棹本体３の抵抗を受けずにフリーに回転することができる。
該吊棹本体３は前記基台１に直接に固定することもできるが、吊棹本体３だけで自立するので前記基台１に固定せずに置けば、両者の取り外しが極めて容易となる。
【００１１】
前記掛吊り部４は前記針金の一方端側３ａに１つ又は両端側３ａ、３ｂの２つを上下段違いに形成することができる。
なお、前記掛吊り部４は、前記針金の先端部を単にフック状に丸く折り曲げるだけでも形成できるが、別に吊り金具を固定することも可能である。
【００１２】
また、前記吊棹本体３の掛吊り部４には、照明灯６や飾り笠７など各種の装飾物を吊設すれば、台板２上にある置物を上から装飾してその置物の姿を引き立たせるようにすることが可能となる。
【実施例１】
【００１３】
次に、本発明の実施例を説明する。
ターンテーブル本体は、図１に示すように、１８ｃｍ径のプラスチック製の厚さ５ｍｍの基盤１上に、２５ｃｍ径の厚さ３ｍｍの木製の台板２が中心軸５を介してフリーに回転するようになっている。
該ターンテーブル本体は、大径の台板２の中心部２ａ下面に設けられた嵌合穴に、それより小径の基盤１の中心の上部に設けられた中心軸５が回転可能に嵌合し、円滑なフリー回転が得られるように該基盤１上と該台板２下との対応面にはベアリングガイド溝９、１０を周設し、この両溝９、１０に３ｍｍ径のベアリング８を並べる。
前記基盤１底面から台板下面２ｃまでの高さＨは、前記プラスチック製の基盤１の厚さが３ｍｍなので、ほぼ３ｍｍとなる。
【００１４】
次にこのターンテーブル本体に装着する吊棹本体３を説明すると、図２に示すように、用いる針金は前記基盤１底面から台板下面２ｃまでの高さ３ｍｍより小径の２ｍｍの鉄の針金を屈曲させて吊棹本体３を形成する。
そして、該吊棹本体３は、該針金で前記台板２下に隠れてるよに前記基盤１を取り巻くように折り曲げて台部３ｃを形成する。
該台部３ｃから前記台板２の側方に突出して上方に直立するように折り曲げて直立部３ｅを形成する。該直立部３ｅは該台部３ｃからの立ち上がり部３ｄの上部３０ｃｍほどの部分までとし、その部分に先を前記台板２上面２ｂの上方中心に向けて折り曲げて屈曲部３ｆを形成する。
該屈曲部３ｆの先端３ａをフック状に折り曲げて掛吊り部４を形成する。
このように針金を折り曲げてできた台部３ｃで自立する吊棹本体３の台部３ｃをターンテーブル本体の前記台板２の下に前記基盤１を取り巻いた状態でターンテーブル本体に吊棹本体３を配着する。
該台部３ｃの高さは針金の径の２ｍｍとなり、前記基盤１底面から台板下面２ｃまでの高さ３ｍｍより低く且つ前記吊棹部３は台部３ｃで自立しているので、ターンテーブル本体は吊棹本体３に接触することなくフリーに回転することができる。
前記吊棹本体３の掛吊り部４には、飾り笠７を吊設して、図３に示すように、ターンテーブル本体に載せた植木鉢の植物Ｐを装飾する。
該飾り笠７の荷重は前記台板２上面２ｂの上方中心位置に懸かるので、棹部本体３は倒れにくく安定的に自立し、万一吊棹本体３が傾いたとしても、ターンテーブル本体で吊棹本体３の台部３ｃが押さえられるので吊棹本体３が倒れることはないので安心である。
【実施例２】
【００１５】
次に、図４に示すように、吊棹本体３に前記吊掛け部４を前記針金の両端側３ａ、３ｂに形成した場合について説明する。
ターンテーブル本体は、２０ｃｍ径のプラスチック製の厚さ５ｍｍの基盤１上に、３０ｃｍ径の厚さ５ｍｍのプラスチック製の台板２が中心軸５を介してフリーに回転するターンテーブルを使用する。
該ターンテーブル本体は、上記実施例１と同様に、台板２と基盤１とが中心軸５で回転可能に連結され、対応板面間に３ｍｍ径のベアリング８が並べてあり、前記台板２の円滑なフリー回転が得られるようになっている。
前記プラスチック製の基盤１の厚さが５ｍｍなので、前記台板２の下面２ｃの高さはほぼ５ｍｍである。
【００１６】
該ターンテーブル本体に装着する吊棹本体３を説明すると、該吊棹本体３は、用いる針金は前記台板２の下面２ｃの高さ５ｍｍより小径の３ｍｍの針金を屈曲させて形成する。
該針金で、前記台板２下に隠れて前記基盤１を取り巻くように曲げて台部３ｃを形成すし、該台部３ｃから前記台板２の側方に両端側の２本を突出させてこれを上方に直立するように折り曲げて２本の直立部３ｅを形成する。
該両直立部３ｅはその上部を一方は３０ｃｍほど、他方は４０ｃｍの部分までとし、その先を前記台板２上面２ｂの上方に向けてそれぞれ折り曲げて屈曲部を形成する。
該屈曲部には、その両先端３ａ、３ｂをフック状に折り曲げて掛吊り部４ａ、４ｂを形成する。
前記直立部３ｅの中間には細い針金１１を巻いて両直立部３ｅ同士が離れないように固定する。
そして、吊棹本体３の台部３ｃをターンテーブル本体の台板２の下に前記基盤１を取り巻いた状態でターンテーブル本体に吊棹本体３を配着する。
本実施例では２つの掛吊り部４ａ、４ｂには、下の段の掛吊り部４ｂに照明灯６を、上の段の掛吊り部４ａには飾り笠７を別々に吊設できるようになる。
前記照明灯６はコード１２で両直立部３ｅに設けた電池１３に接続する。
こうすれば暗い室内でも前記照明灯６を点灯することによって、ターンテーブル本体に載せた置物を装飾物して浮き上がるように引き立たせることができるようになる。
【図面の簡単な説明】
【００１７】
【図１】台板の一部を切欠した状態を示す斜視図。
【図２】吊棹本体の上部を省略した縦断側面図。
【図３】使用状態を示す斜視図。
【図４】吊棹本体が二つの掛吊り部を有する形態の載置台の一部を切欠した状態を示す斜視図。
【符号の説明】
【００１８】
１    基盤
２    台板
２ａ  台板の中心部
２ｂ  台板の上面
２ｃ  台板の下面
２ｄ  台板の周側面
３    吊棹本体
３ａ  吊棹本体の一方端
３ｂ  吊棹本体の他方端
３ｃ  吊棹本体の台部
３ｄ  吊棹本体の立ち上がり部
３ｅ  吊棹本体の直立部
３ｆ  吊棹本体の屈曲部
４    掛吊り部
５    中心軸
６    照明灯
７    吊り笠
８    ベアリング
９    ベアリングガイド溝
１０    ベアリングガイド溝
Ｈ    台板下面の高さ
Ｒ    針金の径
【図１】
0003112531.tif 000003
【図２】
0003112531.tif 000004
【図３】
0003112531.tif 000005
【図４】
0003112531.tif 000006